(57)【特許請求の範囲】
【請求項１】
マグネットを内周面に取り付けた金属製の有底中空筒状のモータケースと、該モータケースの開口部を閉じるように嵌着されたケース蓋と、シャフト上に積層コア、該積層コアに巻いた巻線、及び整流子を取り付けた回転子とから成る小型モータにおいて、
前記ケース蓋は、ブラシアームを接続した導電性板部材のブラシターミナルを貫通固定し、
該ブラシターミナルは、モータ内部に面する側において、中央に溝を設けて左右対称に形成した逆Ｌ字形状の２つの突起部を、該２つの突起部の中央から外側に塑性変形することにより電気素子の足をかしめ固定した、
ことを特徴とする小型モータ。
【請求項２】
マグネットを内周面に取り付けた金属製の有底中空筒状のモータケースと、該モータケースの開口部を閉じるように嵌着されたケース蓋と、シャフト上に積層コア、該積層コアに巻いた巻線、及び整流子を取り付けた回転子とから成る小型モータの製造方法において、
モータ内部に面する側において、中央に溝を設けて左右対称に形成した逆Ｌ字形状の２つの突起部を有し、かつ、ブラシアームを接続した導電性板部材のブラシターミナルを前記ケース蓋に貫通固定し、
前記２つの突起部の根元部に電気素子の足を絡め、そして、
かしめ治具を用いて、前記２つの突起部を、その中央から外側に塑性変形させることにより、絡めた電気素子の足をかしめ固定した、
ことを特徴とする小型モータの製造方法。
【発明の詳細な説明】
【０００１】
【発明の属する技術分野】
本発明は、小型モータに関し、特に、該小型モータに直接取り付けられるコンデンサー等の電気素子の電気的接続及び取付構成に関する。
【０００２】
【従来の技術】
ドライヤー等の送風用小型モータには、コンデンサー、ダイオード、チョークコイル等の電気素子を直接取り付けることが必要になる。
【０００３】
図５は、本発明が前提とする小型モータであり、従来の小型モータと基本的に同様な構成を有するものである。図示したように、金属材料により有底中空筒状に形成されたモータケース１の内周面にマグネット２が取り付けられている。このモータケース１の開口部は、金属製の蓋板６が嵌着されて、それによって閉じられている。蓋板６の中央部には、シャフト２０のための軸受４が圧入固定されている。
【０００４】
シャフト２０の他端は、有底中空筒状のモータケース１の底部中央に設けられた軸受３によって支持されている。このシャフト２０には、積層コア２１と、該積層コア２１上に巻いた巻線２２と、整流子２３とが通常に備えられて、小型モータの回転子を構成している。そして、この整流子２３に接触する一対のカーボンブラシは、そのブラシアーム８が合成樹脂製のブラシホルダー７に支持されると共に、ブラシアーム８に接続されたブラシターミナル１０が電気的接続のためにブラシターミナル７を貫通して蓋板６の外部に突出している。
【０００５】
このような通常の小型モータは、大きくは３つに分解することができる。その第一は、回転子であり、シャフト２０上に積層コア２１及び該コアに券回した巻線２２と、整流子２３とを組み立てることにより構成されている。その第二は、所定数（通常２極）のマグネット２を固定したモータケース１及びその底部中央の円筒状突部に圧入固定した軸受３から構成されている。その第三は、本明細書においては「ケース蓋５」と称するが、金属製の蓋板６と、その中央の円筒状突部に圧入固定した軸受４と、蓋板６に設けた開口部に嵌合固定した樹脂製の絶縁ブラシホルダー７と、該ブラシホルダー７内を挿通させた２つのブラシターミナル１０と、該ブラシターミナル１０にそれぞれ電気的及び機械的に固定されているブラシアーム（その先端部にはブラシが固定されている）とから構成されている。
【０００６】
コンデンサー、ダイオード、チョークコイル等の電気素子は、このケース蓋５に電気的及び機械的に取り付けられる。図６は、電気素子としてコンデンサを打込み鋲を利用して固着する従来の方法を示している。図６の左側の図は、ケース蓋５をモータ内部から見た図であり、また、右側の図は、上半分を断面で示す側面図である。図中、１４は、ブラシターミナル１０を固定する打込み鋲であるが、この打込み鋲にコンデンサ１１の足を絡めて固着していた。ブラシターミナル１０を固定する際に、打込み鋲１４を途中まで打込んで、この打込み鋲１４にコンデンサ１１の足を２〜３回巻いた後、打込み鋲１４を完全に打ち込んでいた。しかし、打込み鋲１４にコンデンサ１１の足１２を絡める固定方法だと、部品点数が増加するという欠点がある。即ち、「コンデンサ有りのケース蓋」と「コンデンサ無しのケース蓋」の２種類の在庫を持つ必要性が生じる。
【０００７】
図７は、コンデンサを半田付けして固定する別の従来方法を示している。コンデンサ１１の足１２は、ブラシターミナル１０に半田付けすることにより固着される。しかし、半田付けは、作業工数が大きく増加するという問題が生じる。
【０００８】
さらに、従来、ブラシターミナル１０をブラシホルダー７に圧入固定する際に、コンデンサーの足を挟み込み、固着することも行われていた。しかし、この方法は、後付けができないという問題がある。また、ブラシターミナル圧入にバラツキが発生する問題、及び線がずれてしまう等の問題もあった。
【０００９】
【発明が解決しようとする課題】
本発明は、かかる問題点を解決し、コンデンサーなどの電気素子をケース蓋のブラシターミナルに接続する際に、部品点数を増加させることなく、また、作業工数の増加を抑えて、作業性良く、確実に行うことを目的としている。
【００１０】
【課題を解決するための手段】
本発明の小型モータ及びその製造方法は、マグネット２を内周面に取り付けた金属製の有底中空筒状のモータケース１と、該モータケース１の開口部を閉じるように嵌着されたケース蓋５と、シャフト２０上に積層コア２１、該積層コア２１に巻いた巻線２２、及び整流子２３を取り付けた回転子とを備えている。ブラシターミナル１０は、モータ内部に面する側において、中央に溝を設けて左右対称に形成した逆Ｌ字形状の２つの突起部１３を有し、かつ、ブラシアーム８を接続した導電性板部材から構成される。このブラシターミナル１０は前記ケース蓋５に貫通固定される。その後、前記２つの突起部１３の根元部に電気素子（コンデンサ１１）の足１２が絡められる。そして、かしめ治具１５を用いて、前記２つの突起部１３は、その中央から外側に塑性変形させられることにより、絡めた電気素子の足はかしめ固定される。
【００１１】
【発明の実施の形態】
図１は、本発明を適用するケース蓋を、モータ内部から見た図である。以下、電気素子として火花消去用のコンデンサを例に取って、かしめ固定により取り付ける方法を説明する。本発明は、このように電気素子の取付に特徴を有しているが、このような本発明は、図６を参照して前述したような通常の小型モータに適用することができる。それ故、図１に例示したケース蓋５は、図６に示した小型モータのケース蓋５に代えて用いることができる。図１において、コンデンサ１１の足１２は、詳細は後述するように、ブラシターミナル１０にかしめにより固着される。
【００１２】
図２は、本発明のブラシターミナル１０の詳細な構成を例示している。その右側の図は、Ａ部の詳細を示している。通常、ブラシターミナル１０は、導電部材の板よりプレス加工により打ち抜くことにより一体に形成でき、幅広の基部とモータ外部に突出する先端部とから成っている。基部は、そのいずれかの側に、鋲止め、かしめ等の適宜の固定手段によりブラシアームが電気的及び機械的に接続される。このブラシターミナル１０は、樹脂製のブラシホルダー７への取り付けに際して、ブラシホルダー７に設けられたスリット内に、ブラシターミナル１０の先端部を先にして内から外方向に挿入されるが、その際、ブラシターミナル１０が抜け出ることのないように、基部は、先端部よりも幅広に形成されて、その上縁がストッバとして機能するようになっている。
【００１３】
そして、本発明を適用するブラシターミナル１０は、モータ内部に面する側に、逆Ｌ字形状の２つの突起部１３を、その間に溝を形成するように左右対称に設けたことを特徴としている。
【００１４】
次に、このようなブラシターミナル１０に、コンデンサ１１を取り付ける方法について説明する。まず、図３に示すように、固定しかつ電気的に接続すべきコンデンサ１１の一方の足１２を、逆Ｌ字形状の２つの突起部１３の根元部回りに絡めるように巻き付ける。
【００１５】
その後、図示したように先端部を三角形状の頂点とするような形状のかしめ治具１５を用いて突起部１３を塑性変形させることにより、コンデンサ１１の足１２は、かしめ固定される。このかしめは、中央に溝を形成して左右対称に設けられた逆Ｌ字形状の突起部１３の中央に、かしめ治具１５を押圧することにより行われる。このとき、かしめ治具１５の三角形状先端部のそれぞれの辺が、それぞれの突起部１３を外方向に同時に圧迫することにより、突起部１３はそれぞれ外方向に折れ曲がり、突起部に絡められていたコンデンサ１１の足１２は、挟み付けられるようにして固定される。この固定状態を図４に示している。
【００１６】
なお、電気素子のもう一方の足については、通常の技術を用いて、接続することができる。例えば、コンデンサのもう一方の足を、モータケース１に接続する場合は、モータケース１にケース蓋５を嵌着する際にその間に挟み込むことにより固定することができる。
【００１７】
【発明の効果】
本発明は、左右対称に形成した逆Ｌ字形状の２つの突起部を備えるブラシターミナルをケース蓋に貫通固定し、２つの突起部の根元部に電気素子の足を絡めた後、２つの突起部を、その中央から外側に塑性変形させることにより、絡めた電気素子の足をかしめ固定するものであるから、部品点数を増加させることがなく、また、電気素子の後付が可能となるためケース蓋の種類を増やすこともないという効果を生じる。
【００１８】
さらに、単にかしめ治具を用いて押圧するのみであるから作業工数を格別増加させることもなく、また、ブラシターミナルの圧入自体には何らの影響も与えず、バラツキの改善を図ることができ、作業性良く、確実に電気素子の足を固着することが可能になる。
【図面の簡単な説明】
【図１】本発明を適用するケース蓋を、モータ内部から見た図である。
【図２】本発明のブラシターミナルの詳細な構成を例示する図である。
【図３】図２に示したブラシターミナルにコンデンサの足を絡めたが、まだかしめ固定していない状態を示す図である。
【図４】本発明に基づきコンデンサをかしめ固定した状態を示す図である。
【図５】本発明が前提とする小型モータの全体構成図であり、従来の小型モータと基本的に同様な構成を有している。
【図６】従来技術によりコンデンサを打込み鋲を利用して固着する方法を示す図である。
【図７】従来技術によりコンデンサを半田付けして固定する方法を示す図である。
【符号の説明】
１  モータケース
２  マグネット
３  軸受
４  軸受
５  ケース蓋
６  蓋板
７  ブラシホルダー
８  ブラシアーム
１０  ブラシターミナル
１１  コンデンサ
１２  コンデンサの足
１３  突起部
１４  打込み鋲
１５  かしめ治具
２０  シャフト
２１  積層コア
２２  巻線
２３  整流子
【図１】
0004272296.tif 000002
【図２】
0004272296.tif 000003
【図３】
0004272296.tif 000004
【図４】
0004272296.tif 000005
【図５】
0004272296.tif 000006
【図６】
0004272296.tif 000007
【図７】
0004272296.tif 000008